(57)【特許請求の範囲】
【請求項１】
スロット型ユニット上に光ファイバ心線層が設けられ、
スロット型ユニットが、ＳＺ撚り状に形成されたスロット溝を有するスロットと、スロット溝の内部に収容された光ファイバ心線と、スロット上に設けられた第１押え巻層を備えたものであり、
光ファイバ心線層が、スロット型ユニットの周囲にＳＺ撚り状に撚り合わされた複数の光ファイバ心線収容体と、その内部に収容された光ファイバ心線と、前記複数の光ファイバ心線収容体上に設けられた第２押え巻層を備えたものであり、
スロット型ユニットのスロット溝と、光ファイバ心線層の光ファイバ心線収容体とを対比した際に、前記光ファイバ心線収容体の反転部が、スロット溝の反転部の直上に配置され、
第１押え巻層が、スロットに縦添えされた押え巻テープからなり、
第２押え巻層が、前記複数の光ファイバ心線収容体上に螺旋状に巻き付けられた押え巻テープからなることを特徴とする多心光ファイバケーブル。
【請求項２】
前記複数の光ファイバ心線収容体の撚り方向は、スロット溝の撚り方向と同じであることを特徴とする請求項１に記載の多心光ファイバケーブル。
【発明の詳細な説明】
【０００１】
【発明の属する技術分野】
本発明は、多心光ファイバケーブルに関するもので、特に、後分岐作業性に優れた多心光ファイバケーブルに関するものである。
【０００２】
【従来の技術】
近年、光ファイバ通信網を一般家庭などの加入者にまで普及させることが検討されている。このような目的で用いられる加入者系多心光ファイバケーブルとしては、例えば、図１０に示す様なスロット型の光ファイバケーブルがある。
ここに示す多心光ファイバケーブル２１は、スロット型ユニット２２上に、光ファイバ心線層２３およびシース２４が順次設けられたものである。
【０００３】
スロット型ユニット２２は、スロット２５と、このスロット２５の外周にＳＺ撚り状に形成されたスロット溝２６内に収容された光ファイバ心線２７と、スロット２５上に設けられた第１押え巻層２８とからなるものである。
第１押え巻層２８は、ポリエステルテープなどの押え巻テープをスロット２５の周囲に螺旋状に巻き付けたものとされる。
【０００４】
光ファイバ心線層２３は、スロット２５の周囲に撚り合わされた複数の樋状構造体２９と、これら樋状構造体２９内に収容された光ファイバ心線３０と、樋状構造体２９の上に設けられた第２押え巻層３１とからなるものである。
樋状構造体２９は、その開口部がケーブル外周側に向くように配置され、スロット型ユニット２２の周囲にＳＺ撚り状に撚り合わされている。
第２押え巻層３１は、ポリエステルテープなどの押え巻テープを樋状構造体２９の周囲に螺旋状に巻き付けたものとされる。
【０００５】
このような多心光ファイバケーブル２１の光ファイバ心線層２３の光ファイバ心線３０を後分岐する際には、後分岐するべき部分のシース２４を取り除いた後、光ファイバ心線層２３の第２押え巻層３１を構成する押え巻テープの一部を切断し、この切断部分から押え巻テープを巻きほぐし、反転部（Ｓ撚りからＺ撚りに撚り返す部分）付近の樋状構造体２９を露出させ、その内部に収容された光ファイバ心線３０のうち必要本数を樋状構造体２９から取り出すようにする。
【０００６】
またスロット型ユニット２２の光ファイバ心線２７を後分岐する際には、まず、樋状構造体２９を露出させた後、反転部付近の樋状構造体２９を、これが直線状となる方向に移動させ、たるんだ状態とすると共にユニット２２から離間させ、ユニット２２を露出させる。
次いで、露出部分のユニット２２のスロット２５上に螺旋状に巻き付けられた第１押え巻層２８の押え巻テープの一部を切断し、この切断部分から押え巻テープをテープの螺旋方向に沿って引き取りつつ巻きほぐし、反転部付近のスロット溝２６を露出させ、その内部に収容された光ファイバ心線２７のうち必要本数をスロット溝２６から取り出すようにする。
【０００７】
【発明が解決しようとする課題】
しかしながら、上記従来技術には、次のような問題があった。
上記多心光ファイバケーブル２１では、スロット型ユニット２２のスロット溝２６内の光ファイバ心線２７を分岐するために、第１押え巻層２８の押え巻テープをテープの螺旋方向に沿って引き取りつつ巻きほぐす際に、たるませた状態の樋状構造体２９が邪魔になり、押え巻テープを巻きほぐす作業がしにくく、後分岐作業に多大な労力を要する不都合があった。
本発明は、上記事情に鑑みてなされたもので、後分岐作業性に優れた多心光ファイバケーブルを提供することを目的とする。
【０００８】
【課題を解決するための手段】
本発明の請求項１に係る多心光ファイバケーブルは、スロット型ユニット上に光ファイバ心線層が設けられ、スロット型ユニットが、ＳＺ撚り状に形成されたスロット溝を有するスロットと、スロット溝の内部に収容された光ファイバ心線と、スロット上に設けられた第１押え巻層を備えたものであり、光ファイバ心線層が、スロット型ユニットの周囲にＳＺ撚り状に撚り合わされた複数の光ファイバ心線収容体と、その内部に収容された光ファイバ心線と、前記複数の光ファイバ心線収容体上に設けられた第２押え巻層を備えたものであり、スロット型ユニットのスロット溝と、光ファイバ心線層の光ファイバ心線収容体とを対比した際に、前記光ファイバ心線収容体の反転部が、スロット溝の反転部の直上に配置され、第１押え巻層が、スロットに縦添えされた押え巻テープからなり、第２押え巻層が、前記複数の光ファイバ心線収容体上に螺旋状に巻き付けられた押え巻テープからなることを特徴とする。
本発明の請求項２に係る多心光ファイバケーブルは、前記複数の光ファイバ心線収容体の撚り方向が、スロット溝の撚り方向と同じであることを特徴とする。
【０００９】
【発明の実施の形態】
図１ないし図９は、本発明の多心光ファイバケーブルの一実施形態を示すもので、ここに示す多心光ファイバケーブル１は、スロット型ユニット２上に、光ファイバ心線層３およびシース４が順次設けられたものである。
【００１０】
スロット型ユニット２は、スロット５と、このスロット５の外周に複数形成されたスロット溝６内に収容された光ファイバ心線７と、スロット５上に設けられた第１押え巻層８とからなるものである。
スロット５は、ポリエチレン、ポリプロピレンなどのプラスチック材料等からなる長尺体で、その中心には、金属撚線、金属単線、繊維強化プラスチック（ＦＲＰ）ロッドなどからなるテンションメンバ５ａが挿通している。
【００１１】
スロット５に形成されたスロット溝６は、ＳＺ撚り状、すなわちＳ撚りとＺ撚りとを交互に繰り返すように形成されている。
以下、スロット溝６のＳ撚りからＺ撚り（あるいはＺ撚りからＳ撚り）に撚り返す部分を反転部Ｔ1と呼ぶ。また反転部Ｔ1からこれに隣接する反転部Ｔ1までの距離を反転ピッチｐ1と呼ぶ。
光ファイバ心線７は、例えば、２〜１０心の光ファイバテープ心線を２〜１０枚積層したものとされる。
【００１２】
第１押え巻層８は、スロット溝６内の光ファイバ心線７を保護するためのものであり、本実施形態の多心光ファイバケーブル１では、この第１押え巻層８が、押え巻テープ８ａを、スロット５にその長手方向に沿って縦添えしたものとされている。
【００１３】
この押え巻テープ８ａとしては、ポリエステル、ポリイミド等からなるプラスチックテープ、不織布テープなどを用いることができる。押え巻テープ８ａの幅は、スロット５の外径に応じて適宜設定されるが、通常、２０〜１００ｍｍとするのが好ましい。また、テープ８ａの厚みは０．１〜０．５ｍｍとするのが好ましい。
また第１押え巻層８は、押え巻テープ８ａの外周に粗巻き紐８ｂを巻き付け、押え巻テープ８ａをスロット５上に止め付けたものとするのが好ましい。粗巻き紐８ｂとしては、ポリエステル、ナイロン、ポリエチレン等からなる１００〜１０００ｄ（デニール）程度の繊維あるいは巾２〜５ｍｍ程度の細巾テープを用いることができる。
【００１４】
光ファイバ心線層３は、スロット５の周囲に撚り合わされた光ファイバ心線収容体となる複数の樋状構造体９と、これら樋状構造体９内に収容された光ファイバ心線１０と、樋状構造体９の上に設けられた第２押え巻層１１とからなるものである。
【００１５】
樋状構造体９は、ポリエチレンなどのプラスチック材料等からなる樋状の長尺体であり、この樋状構造体９としては、厚みが０．５〜２ｍｍ、内幅が１〜８ｍｍ、深さが１〜８ｍｍとされたものを用いるのが好適である。樋状構造体９は、その開口部がケーブル外周側に向くように配置されている。
【００１６】
樋状構造体９は、スロット型ユニット２の周囲にＳＺ撚り状に撚り合わされており、反転ピッチｐ2、すなわち樋状構造体９の反転部Ｔ2からこれに隣接する反転部Ｔ2までの距離が、スロット型ユニット２のスロット溝６の反転ピッチｐ1の整数倍、好ましくは反転ピッチｐ1と等しくなるようにされている。
【００１７】
樋状構造体９は、その反転部Ｔ2が、スロット型ユニット２のスロット溝６の反転部Ｔ1の直上に位置するように、スロット型ユニット２上に撚り合わされている。
光ファイバ心線１０としては、スロット型ユニット２のスロット溝６内に収容された光ファイバ心線７と同様のものを用いることができる。
【００１８】
第２押え巻層１１は、樋状構造体９をスロット型ユニット２上に位置決め、固定すると共に、樋状構造体９内の光ファイバ心線１０を保護するためのものである。
本実施形態の多心光ファイバケーブル１では、第２押え巻層１１が、押え巻テープ１１ａを樋状構造体９上に螺旋状に巻き付けたものとされる。押え巻テープ１１ａとしては、上述の押え巻テープ８ａと同じ材質からなるものを用いることができ、幅は２０〜１００ｍｍ、厚さは０．１〜０．５ｍｍとするのが好ましい。
【００１９】
上記構造の多心光ファイバケーブル１の製造に際しては、スロット５を引き取りつつ、光ファイバ心線７をスロット５のスロット溝６内に収容し、スロット５の外周に押え巻テープ８ａを縦添えし第１押え巻層８を形成してスロット型ユニット２とし、次いで予め光ファイバ心線１０を内部に収容した樋状構造体９をスロット型ユニット２周囲にＳＺ撚りとなるように撚り合わせ、その上に押え巻テープ１１ａを螺旋状に巻き付けて第２押え巻層１１を形成し、最後に第２押え巻層１１上にポリエチレンなどを被覆しシース４を形成する。
【００２０】
次に、上記構造の多心光ファイバケーブル１の光ファイバ心線７および光ファイバ心線１０を後分岐する際の操作について図２ないし図９を参照して説明する。
最初に、光ファイバ心線層３の光ファイバ心線１０を後分岐する場合について説明する。
【００２１】
まず、樋状構造体９の反転部Ｔ2上に位置する部分のシース４を取り除き、光ファイバ心線層３を露出させる。
次いで、光ファイバ心線層３の第２押え巻層１１を構成する押え巻テープ１１ａの一部を切断し、この切断部分から押え巻テープ１１ａを巻きほぐし、反転部Ｔ2付近の樋状構造体９を露出させる。
次いで、反転部Ｔ2の樋状構造体９内の光ファイバ心線１０を樋状構造体９から取り出す。この際、樋状構造体９は、反転部Ｔ2において撚り方向が反転しているため、光ファイバ心線１０を樋状構造体９から取り出すと、光ファイバ心線１０がたるんだ状態となり、これを樋状構造体９から離間させる操作が容易となり後分岐操作が容易となる。
【００２２】
次に、スロット型ユニット２の光ファイバ心線７を後分岐する場合について説明する。
まず、上述の過程に従って樋状構造体９を露出させる。
続いて、反転部Ｔ2付近の樋状構造体９を、これが直線状となる方向にスロット型ユニット２上で移動させ、たるんだ状態とすると共に、スロット型ユニット２から離間させ、スロット型ユニット２を露出させる。
【００２３】
次いで、露出部分の第１押え巻層８の粗巻き紐８ｂを取り除いた後、スロット５に縦添えされた押え巻テープ８ａの一部を切断する。
次いで、切断部分の押え巻テープ８ａを、スロット５の長手方向に沿ってスロット５から引き剥がす方向に引っ張り、スロット５を露出させる。
【００２４】
上述のように、樋状構造体９は、その反転部Ｔ2がスロット型ユニット２のスロット溝６の反転部Ｔ1の直上に位置するようにスロット型ユニット２周囲に撚り合わされたものとされているため、上記操作によって、反転部Ｔ1付近のスロット溝６が露出することになる。
このようにして露出させた反転部Ｔ1のスロット溝６から光ファイバ心線７を解放し、後分岐操作を行う。
【００２５】
上記構成の多心光ファイバケーブル１にあっては、スロット型ユニット２の第１押え巻層８が、スロット５に縦添えされた押え巻テープ８ａからなるものとされているので、スロット溝６内の光ファイバ心線７を後分岐する際には、後分岐するべき部分の光ファイバ心線層３の樋状構造体９をたるませ、スロット型ユニット２の第１押え巻層８を露出させた後、露出部分の押え巻テープ８ａをスロット５の長手方向に沿ってスロット５から引き剥がす方向に引っ張るだけの簡単な操作でスロット５を露出させることができる。
このため、第１押え巻層を螺旋状の押え巻テープからなるものとした光ファイバケーブルに比べ、光ファイバ心線７を後分岐する操作の際に、たるませた状態の樋状構造体９が操作の障害となることがない。
このため、ケーブル外周側の光ファイバ心線１０だけでなく、ケーブル中心側の光ファイバ心線７をも容易な操作で取り出すことができる。従って、後分岐作業性を向上させることが可能となる。
【００２６】
また、多心光ファイバケーブル１にあっては、その製造に際し、押え巻テープ８ａをスロット５に縦添えするだけの簡単な操作でスロット５上に第１押え巻層８を形成することができる。
従って、第１押え巻層を、スロット上に螺旋状に巻き付けられた押え巻テープからなるものとした光ファイバケーブルに比べ、効率的な製造が可能なものとなる。
【００２７】
また、第２押え巻層１１を、樋状構造体９上に螺旋状に巻き付けた押え巻テープ１１ａからなるものとすることによって、第２押え巻層１１を、ケーブル周方向の力に対する引張強度に優れたものとすることができる。
このため、シース４が収縮変形することにより、その内壁によって樋状構造体９の開口部上に位置する部分の第２押え巻層１１にケーブル中心方向の力が加わり、第２押え巻層１１にケーブル周方向への引張応力が加わった場合でも、第２押え巻層１１が破断あるいは伸び変形し樋状構造体９内部に侵入することがなく、光ファイバ心線１０を確実に保護することができる。
【００２８】
さらには、樋状構造体９を、反転部Ｔ2がスロット型ユニット２のスロット溝６の反転部Ｔ1の直上に位置するようにスロット型ユニット２上に撚り合わされたものとすることによって、反転部Ｔ2付近の樋状構造体９をたるませてユニット２を露出させ、第１押え巻層８を取り除くことによって、ユニット２のスロット溝６の反転部Ｔ1を確実に露出させることができる。
このため、ケーブル外周側の光ファイバ心線１０だけでなく、ケーブル中心側の光ファイバ心線７をも容易な操作で取り出すことができる。
従って、後分岐作業性のいっそうの向上が可能となる。
【００２９】
なお、上記構造の多心光ファイバケーブル１では、スロット型ユニット２上に光ファイバ心線層３を１層のみ設けたものとしたが、本発明の多心光ファイバケーブルはこれに限らず、スロット型ユニット２上に複数の光ファイバ心線層を設けたものとすることもできる。
この場合には、最外周側の光ファイバ心線層以外の光ファイバ心線層の押え巻層を、縦添えされた押え巻テープからなるものとし、さらに、スロット型ユニットのスロット溝、および複数の光ファイバ心線層の樋状構造体のうち上下（ケーブル径方向）に隣接する２つを対比した際に、上方側（ケーブル外周側）のものの反転部が下方側（ケーブル中心側）のものの反転部の直上に配置されるようにする。
このように、スロット型ユニット２上に複数の光ファイバ心線層を設けることによって、後分岐作業性を低下させることなく更なる多心化が可能となる。
【００３０】
【発明の効果】
以上説明したように、本発明の多心光ファイバケーブルにあっては、後分岐作業性を向上させることができる。
【図面の簡単な説明】
【図１】  本発明の多心光ファイバケーブルの一実施形態を示すもので、（Ａ）はこの光ファイバケーブルの断面図、（Ｂ）は樋状構造体を示す斜視図である。
【図２】  図１に示す多心光ファイバケーブルの内部構造を示す平面図である。
【図３】  図１に示す多心光ファイバケーブルの内部構造を示す平面図である。
【図４】  図１に示す多心光ファイバケーブルの内部構造を示す平面図である。
【図５】  図１に示す多心光ファイバケーブルの内部構造を示す平面図である。
【図６】  図１に示す多心光ファイバケーブルの内部構造を示す平面図である。
【図７】  図１に示す多心光ファイバケーブルの内部構造を示す平面図である。
【図８】  図１に示す多心光ファイバケーブルの内部構造を示す平面図である。
【図９】  図１に示す多心光ファイバケーブルの内部構造を示す平面図である。
【図１０】  従来の多心光ファイバケーブルを示す断面図である。
【符号の説明】
１・・・多心光ファイバケーブル、２・・・スロット型ユニット、３・・・光ファイバ心線層、４・・・シース、５・・・スロット、６・・・スロット溝、
７、１０・・・光ファイバ心線、８・・・第１押え巻層、８ａ、１１ａ・・・押え巻テープ、９・・・樋状構造体（光ファイバ心線収容体）、１１・・・第２押え巻層、
Ｔ1、Ｔ2・・・反転部
【図１】
0003784521.tif 000002
【図２】
0003784521.tif 000003
【図３】
0003784521.tif 000004
【図４】
0003784521.tif 000005
【図５】
0003784521.tif 000006
【図６】
0003784521.tif 000007
【図７】
0003784521.tif 000008
【図８】
0003784521.tif 000009
【図９】
0003784521.tif 000010
【図１０】
0003784521.tif 000011